(57)【要約】【課題】煙草の吸殼、灰や臭いが漏れず消化制に優れ、携帯に煩わしさのないようにし、煙草のポイ捨てを防止すること。【解決手段】内筒と外筒の金属制二重構造で構成されてる灰皿つきライターカバーからライターを引き抜き、火のついたままのタバコをそのままライターカバーに入れると同時にライターを押し込むことで一発プレス消化できる機構を設けたことにより、ライターは圧入されるため、プレス消火後、数秒後に衣服のポケット等に入れてもタバコの灰や臭いが漏れない、また、火の付いた煙草をプレス消化できると共に既存のライターを圧入して収納できる灰皿及びライターカバーの機構を設けたことにより、かさばらず、灰皿とライターを別々に携帯する煩わしさを解消した。【選択図】　図１
2004135647.tif 000002
【特許請求の範囲】
【請求項１】
火のついた煙草の吸殼を直接金属制の筒状に入れて、ライターを圧入することによって限りなく空気スペースをなくし、酸素の進入を防ぎ密閉される状態と成り、ライター底部の金具で一瞬でプレス消火出来る金属制二重構造の構成を特徴とする灰皿付ライターカバー。
【請求項２】
請求項１のライターカバーは、インナーカバーとアウターカバーの金属制の二重構造から成り、カバー内部の下部側面に凹凸部を設け、ライター底部には金具テンションバネ部を設け、ライター底部の金具でプレス消火できることを特徴とする灰皿つきライターカバー。
【請求項３】
請求項１，２のライターカバーは、金属制二重構造からなり、吸殻を一瞬でプレス−発消火でき、また圧縮された煙草の吸殻がワンタッチで捨てることができる構造を特徴とする灰皿付ライターカバー。
【請求項４】
携帯時のライターの抜け防止及びアジャスト機構を設けたことを特徴とし、今までのライターと何等変わることなく使用できる請求項１，２，３の灰皿付ライターカバー。
【請求項５】
請求項１，２，３，４、のライターカバーは、ライターの収納とプレス消化を同時に行い、ライターカバーに吸殻がたまると、ライターカバーから数センチほどライターが飛び出してる状態となり、吸殼の量が視覚的、感覚的にわかりやすいことを特徴とする灰皿付ライターカバー。
【発明の詳細な説明】
【０００１】
【発明の属する技術分野】
本発明は、喫煙者が携帯して使用する携帯用の灰皿と、火のついた煙草を入れ、一瞬でプレス消火する、密閉制に優れた機能を有する灰皿と、ライターカバーを融合した、灰皿付ライターカバーに関するものである。
【０００２】
【従来の技術】
煙草の吸殼のポイ捨て条例が、各地方自治体で制定されてる現在において、携帯用灰皿は必要不可欠になってきている。しかし、携帯用灰皿の種類は増えつつあるが、灰皿とライターは独立しており、喫煙するときには、煙草やライターと別々に持たなくてはならないものや、ライターに付設されたものが多く、携帯するのを忘れたりしがちである。
【０００３】
また、従来の携帯用灰皿や灰皿付ライターでは、吸殻の量がわかりにくく、また捨て忘れたり、視覚的、感覚的にも不便さを感じる。
【０００４】
【発明が解決しようとする課題】
こうした灰皿は、今日、言われているポイ捨て防止には大変効力があるものだが、ライターと灰皿がそれぞれ独立しており、携帯を忘れたり、別々に携帯して、かさ張ったりして持ち歩くのに不便を感じるのが現状である。
【０００５】
また、ライターに付設した灰皿においても、いっばいになった吸殼を除去するときには、灰皿から吸殼や灰を容易に取り出せず、指を汚したり等、煩わしさを感じる問題点があった。
【０００６】
【課題を解決するための手段】
以上の課題を解決するために、請求項１の発明は、既存のライターのサイズをほとんど変わることなく収納でき、灰皿としても利用できる金属制二重構造の灰皿と収納スペースを融合した。
【０００７】
また、プレス消火した際に圧入されるライターとライターカバー間には、空気スペースがなく、火のついたままの煙草をいれても酸素の流入がなく、一瞬で消火できる機構のある灰皿付ライターカバーである。
【０００８】
請求項２の発明は、火のついた煙草の吸殻を直接入れて断熱板でプレス消火できる金属制二重構造の灰皿付ライターカバーである。
【０００９】
請求項３の発明は、ライター収納ケースを付設した吸殼の消化と同時にライターの収納ができるライターカバーは、金属制二重構造からなり、吸殼を圧縮−発消化できまた、インナーカバーにより圧縮された吸殼がワンタッチで捨てることが出来る灰皿付ライターカバーである。
【００１０】
請求項４では、ライターカバーの下部側面の上下にある程度のピッチを持った凹凸部を設け、ライター底部の金具の側面にはテンションバネ凸部を設け、互いの凹凸部がピッチごとに引っかかり抜けにくいので、携帯時のライターの抜け防止及びアジャスト機構を設けたことを特徴とする灰皿付ライターカバー。
【００１１】
請求項５では、ライターカバーは、ライターの収納とプレス消火を同時に行い、ライターカバーに吸殼がたまると、ライターカバーから数センチほどライターが飛び出してる状態となり、吸殻の量が視覚的、感覚的にわかりやすく捨て忘れがない灰皿付ライターカバーである。
【００１２】
【発明の実施の形態】
本発明による灰皿付ライターカバーでは、喫煙者は、予めライターカバーにライターを圧入しておくことにより、使用時に灰皿付ライターカバーを取り出し、煙草に着火することが出来る。
【００１３】
また、本発明による灰皿付ライターカバーは、金属制の内筒と外筒の二重構造から成り立ち、煙草の火を消すときは、灰皿付ライターカバーからライターを引き抜き、筒状になってる灰皿付ライターカバーに火のついたままの煙草をいれ、ライターを灰皿付ライターカバーに圧入するようなかたちで一瞬でプレス消火することができ、圧入されているためライターとライターカバーとの隙間がなく、衣服のポケット等への臭い移りを防ぐことができ、掃除もしやすい形状である。
【００１４】
当然、灰皿付ライターカバーに火の着いた煙草を入れるので燃えやすい樹脂などではなく、不燃性樹脂または金属なので燃えにくく熱に強い。
【００１５】
【実施例】
以下、本発明の灰皿付ライターカバーを図面を参照して説明する。
図１は本発明の灰皿付ライターカバーの圧入後の完成図、図２は分解図、図３、図４は図１のＡ−Ａ’の断面図、並びに灰皿付ライターカバーの使用状態を示すものである。
【００１６】
これらの図において、図３−（１）では、ライターを圧入しておくことにより、今までのライターと変わりなくライターを使用することが出来、図３−（２）のようにライターを取り出してライターと吸殻を入れる筒状で、２〜３本程度の吸殻を収納できる、図３−（３）〜（６）は火のついたままの吸殻を入れ、ライターに装着してる２は圧入し吸殻を押しつぶすための断熱板及びテンションバネの機構で、火のついた吸殼を入れて、ライターを手で押すことにより一瞬で密閉された筒状は酸素不足の状態になり、吸殼は押しつぶされ強制的に消火されるようになっている。
【００１７】
図５が示すように２の下部側面に凹凸、１にも凸を設け、互いの凹凸が引っかかりライターを携帯してるとき、衣服のポケット等で勝手に抜けたりしないためのライター自体の抜けを防止する機構である。
【００１８】
また、図５Ｂ−Ｂ’断面では、ライター底部の金具にかえり部分を、ライターにはかえりが引っかかるための角穴を加工し、金具自体が外れないための機構である。
【００１９】
次に図４の（７）が示すのは、吸殼を２〜３本入れて押しつぶして吸殻がいっぱいにたまってライターが筒状のケースから数センチ上に出ているいる状態である。図４−（８）は、二重構造から成る筒状の２には手押し圧入されたライターによって圧縮された吸殻を２とライター共に矢印方向に引き抜こうとしてる状態である。図４−（９）では、吸殻はライターと３の間で圧縮されて吸殼は落ちずに２とライターを同時に引き抜くことが出来、図４−（１０）で示すように数センチ出ているライターを矢印方向に２を手で持ちながら注射器のように押し込むことにより、圧縮されてる吸殼が一気に押し出され、３に残ってる灰や吸殼の残りを容易に捨てることができる機構である。
【００２０】
図３−（６）で示す灰皿付ライターカバーにライターが矢印方向に圧入されている。限りなく空気スペースをなくし、外部からの酸素の流入の遮断性を高め、灰や臭いの流出を押えることが出来る。よって衣服のポケット等に、臭いが移ったり、灰や吸殼で汚したりすることが極端におさえられる。
【００２１】
図６−Ｄ部詳細では、丸形状の凸４を設けることによって、ライターカバーからライターを引き抜く時に、４を握ることで指が滑りにくく、ライターをスムーズに引き抜くことができる操作制の向上を計った機構である。
【００２２】
【発明の効果】
本発明によれば灰皿付ライターカバーに、部品点数が少なく、携帯用灰皿と着火に必要な既存のライターを、予めライターカバーに差し込んでおくので、、使用時に灰皿の携帯を忘れることがない。
【００２３】
煙草を喫煙するにつれて、灰皿付きライターカバーに吸殼が増えると、ライターが数センチ、ライターカバーから出てくる機構なので、吸殼の量が視覚的、感覚的にもわかりやすくなり吸殼を捨てるタイミングを計り、捨て忘れの防止につながる。
【００２４】
また、密閉制を向上させる機構を設けたので、火のついた煙草をもみ消さずにそのまま灰皿へ入れてプレスすることにより、消火の際の煙の発生を少なくし、臭いもおさえ、消火時の灰の発生が少なくなり、吸殼がいっぱいになるとライターがライターカバーからでてくることでサイズがかさばり捨て忘れがない。さらに、揉み消しによる指の汚れや煩わしさがなく煙草とライターのみを携帯して、灰皿を持ってない感覚で携帯する煩わしさも無くなる。
【００２５】
図６−Ｄ部詳細のように、丸形状の凸４を設けることによって、ライターカバーからライターを引き抜く時に、４を握ることで指が滑りにくく、ライターをスムーズに引き抜くことができ、操作性の無駄がなくなる。
【図面の簡単な説明】
【図１】本発明の灰皿付ライターカバーの完成品を示す斜視図である。
【図２】本発明の灰皿部分とライターの分解斜視図である。
【図３】図１Ａ−Ａ’線の使用状態を示す断面図である。
【図４】図３と同様に図１の使用状態の断面図である。
【図５】抜け防止のためのテンションバネのＣ部詳細図である。
【図６】ライター引き抜きのためのグリップＤ部詳細図である。
【符号の説明】
１断熱板　テンションバネ
２インナーケース
３アウターケース
４グリップ
【図１】
2004135647.tif 000003
【図２】
2004135647.tif 000004
【図３】
2004135647.tif 000005
【図４】
2004135647.tif 000006
【図５】
2004135647.tif 000007
【図６】
2004135647.tif 000008